(57)【特許請求の範囲】
【請求項１】
内部に電子部品を収納し、かつ制御盤に装着するためのフランジを有するケーシングと、前記電子部品の背面側に取り付けられ、かつ上下方向に伸びる複数のフィンを有するヒートシンクとを備えた制御ユニットにおいて、
前記フランジは、被取り付け面を有する角枠状のアタッチメントを着脱自在に取り付けられるようにしてあり、前記アタッチメントは、前記ヒートシンクの上下端面にそれぞれ対向する上面部および下面部と、前記上面部および下面部に形成した通気穴と、前記下面部に冷却ファンを装着するファン取り付け部とを設けてあることを特徴とする制御ユニット。
【請求項２】
前記アタッチメントの前記上面部および前記下面部は、それぞれ前記フランジと結合し得る第１の被取り付け面と、前記第１の被取り付け面と前記通気穴を挟んでそれぞれ対向する第２の被取り付け面とを設けてある請求項１記載の制御ユニット。
【請求項３】
前記アタッチメントは、前記ヒートシンクの側面または背面の対向側に、前記上面部および下面部をつなぐつなぎ部を少なくとも一つ設けてある請求項１または２記載の制御ユニット。
【発明の詳細な説明】
【０００１】
【発明の属する技術分野】
本発明は、半導体素子などの電子部品やプリント基板を内蔵した制御ユニットに関する。
【０００２】
【従来の技術】
従来、半導体素子などの電子部品やプリント基板を内蔵した制御ユニットは、ヒートシンクを介して冷却するものとして、例えば図５に示すようなものが開示されている（例えば、実開平４−１３０４９５号公報）。
すなわち、制御ユニット１は、半導体素子等の電子部品１１を収容するためのケーシング２を設け、ケーシング２を制御盤６などの取り付け面に取り付けるために、ケーシング２に鉛直方向へ伸びる流路を形成する断面がコの字状のステー７を設けてある。ケーシング２の内側に電子部品１１を収納し、電子部品１１の背面にはヒートシンク３を固定して、ケーシング２に設けた開口部２０からステー７と共にヒートシンク３をステー７の内側に突出するように設けてある。
この場合、ケーシング２とともにヒートシンク３を制御盤６内に取り付けるとき（ベースマウント方式）は、図５に示すように、ステー７を制御盤６の内側の壁に取り付け、制御盤６内で冷却空気がステー７内を鉛直方向に流れるようにしてある。
【０００３】
【発明が解決しようとする課題】
ところが、上記の従来技術では、制御ユニットのケーシングに上下方向に開口するコの字状のステーが設けられているため、ケーシングとともにヒートシンクを制御盤内に取り付けて、冷却ファンで制御ユニットを単独に冷却するとき、上記構成のステーでは冷却ファンを取り付ける取り付け部品が別個に必要となり、部品点数が増えるという問題があった。
本発明は、部品点数が少なく、組立作業が容易で、個別に冷却できる安価な制御ユニットを提供することを目的とするものである。
【０００４】
【課題を解決するための手段】
上記課題を解決するため、本発明は、内部に電子部品を収納し、かつ制御盤に装着するためのフランジを有するケーシングと、前記電子部品の背面側に取り付けられ、かつ上下方向に伸びる複数のフィンを有するヒートシンクとを備えた制御ユニットにおいて、前記フランジは、被取り付け面を有する枠状のアタッチメントを着脱自在に取り付けられるようにしてあり、前記アタッチメントは、前記ヒートシンクの上端面と下端面にそれぞれ対向する上面部および下面部と、前記上面部および下面部に形成した通気穴と、前記下面部に冷却ファンを装着するファン取り付け部とを設けてあるものである。
また、前記上面部および前記下面部は、それぞれ前記フランジと結合し得る第１の被取り付け面と、前記第１の被取り付け面と前記通気穴を挟んでそれぞれ対向する第２の被取り付け面とを設けてあるものである。
また、前記アタッチメントは、前記ヒートシンクの側面または背面の対向側に、前記上面部および下面部をつなぐつなぎ部を少なくとも一つ設けてあるものである。
【０００５】
【発明の実施の形態】
以下、本発明を図に示す実施例について説明する。
図１は本発明の実施例を示す斜視図、図２はその分解した状態を示す斜視図である。
図において、１は制御ユニット、１１は電子部品、２は電子部品１１を収納する箱状のケーシングで、上・下端にそれぞれフランジ２１、２２を設け、フランジ２１、２２には取付穴２１ａ、２２ａを設けてある。３は電子部品１に取り付けられたヒートシンク、３１はヒートシンク３の上下方向に伸びる複数のフィンである。
【０００６】
４はヒートシンク３のフィン３１を囲むようにコの字状の角枠に形成されたアタッチメントで、上面部４１および下面部４２がフィン３１の上・下方向の両端面に対向するようにしてあるとともに、それぞれ通気穴４３、４４が設けられている。下面部４２には、通気穴４４からフィン３１に向かって冷却空気を送る冷却ファン５が装着されるファン取り付け部４４ａが設けられている。４０は上面部４１と下面部４２をつなぐ第１のつなぎ部である。
また、上・下面部４１、４２にはケーシング２と結合するために、フランジ２１、２２と対向する第１の被取り付け面４５、４６を設け、第１の被取り付け面４５、４６には取付穴２１ａ、２２ａと同じピッチで取付穴４５ａ，４６ａを設けてある。
４７はアタッチメント４の第１の被取り付け面４５、４６と反対側の端面に設けられた第２のつなぎ部で、上下端はそれぞれ上・下面部４１、４２から上下に突出し、通気穴４３、４４を挟んで第１の被取り付け面４５、４６とそれぞれ対向するように第２の被取り付け面４８、４９を形成し、第２の被取り付け面４８、４９には取付穴２１ａ、２２ａと同じピッチで取付穴４８ａ，４９ａを設けてある。
【０００７】
ヒートシンク３と共に制御ユニット１を制御盤６の内側に設ける場合（ベースマウント方式）は、制御盤６に取付穴４８ａ，４９ａと同じピッチの取付穴６ａを設けておく。
次に、フランジ２１、２２と第１の被取り付け面４５、４６とをねじ２１ｂ，２２ｂにより結合して、制御ユニット１にアタッチメント４を取り付け、更に第２の被取り付け面４８、４９と制御盤６とをねじ４８ｂ，４９ｂにより結合する。さらに、冷却ファン５を下面部４２に取り付ける。
なお、ヒートシンク３を制御盤６の外側に出した状態で制御ユニット１を制御盤６の内側に設ける場合（フィン外出し方式）は、図３に示すように、制御盤６にヒートシンク３を挿入し得る貫通穴６１を設けておき、アタッチメント４は使用せず、ヒートシンク３を貫通穴６１から制御盤６の外側に突出させて、図４に示すように、直接、フランジ２１、２２を制御盤６の内側にねじ２１ｂ，２２ｂにより固定すればよい。
【０００８】
このように、角枠のアタッチメント４にケーシング２と制御盤６との両方にそれぞれ結合し得る第１の被取り付け面４５、４６および第２の被取り付け面４８、４９を設けてあるとともに、下面部４２に冷却ファン５を取り付けるようにしてあるので、制御ユニット１を単軸ドライブのように、単独で制御盤６の中に装着するとき、別に部品を設けることなく、簡単に冷却ファン５を取り付けることができ、冷却ファン５による個別の強制通風冷却方式をとることができる。
なお、多軸ドライブの時に使用される複数の制御ユニット１を、制御盤６に隣接して設けた通風ダクトに流れる冷却空気によって一括して冷却するときがある。
このときは、アタッチメント４はケーシング２に着脱自在にしてあるので、アタッチメント４を外して、ヒートシンク３が通風ダクトに通じる貫通穴６１を通して通風ダクト（図示しない）の中に突出させて、フィン外出し方式とすればよい。
これにより、アタッチメントを使用することなく、制御ユニット１を直接制御盤６に固定できるので、制御ユニット１の重量が軽くなる。
【０００９】
【発明の効果】
以上述べたように、本発明によれば、コの字状のアタッチメントにケーシングと制御盤との両方にそれぞれ結合し得るフランジを設けて着脱自在にしてあるとともに、下面部に冷却ファンを取り付けるようにしてあるので、制御ユニットを単独で制御盤の中に装着するベースマウント方式のとき、別に部品を設けることなく、簡単に冷却ファンを取り付けることができる。
また、複数の制御ユニットを一括して冷却するフィン外出し方式にも、アタッチメントを外すだけで簡単に取り付けることができ、各種制御盤の方式にマッチした冷却構造を取ることができる。
したがって、部品点数が少なく、組立作業が簡単になるので、コストの安い制御ユニットを提供できる効果がある。
【図面の簡単な説明】
【図１】本発明の実施例を示すベースマウント方式の斜視図である。
【図２】本発明の実施例の分解した状態を示す斜視図である。
【図３】本発明の実施例のフィン外出し方式の組立前の斜視図である。
【図４】本発明の実施例を示すフィン外出し方式の斜視図である。
【図５】従来例のベースマウント方式を示す斜視図である。
【図６】従来例のフィン外出し方式を示す斜視図である。
【符号の説明】
１：制御ユニット、１１：電子部品、２：ケーシング、２０：開口部、２１、２２：フランジ、２１ａ，２２ａ：取付穴、２１ｂ，２２ｂ：ねじ、３：ヒートシンク、３１：フィン、４：アタッチメント、４０：第１のつなぎ部、４１：上面部、４２：下面部、４３、４４：通気穴、４４ａ：ファン取り付け部、４５、４６：第１の被取り付け面、４７：第２のつなぎ部、４８、４９：第２の被取り付け面、５：冷却ファン、６：制御盤、６１：貫通穴
【図１】
0003622415.tif 000002
【図２】
0003622415.tif 000003
【図３】
0003622415.tif 000004
【図４】
0003622415.tif 000005
【図５】
0003622415.tif 000006
【図６】
0003622415.tif 000007